(57)【特許請求の範囲】
【請求項１】
遮蔽材の開閉を可能とする遮蔽装置であって、
前記遮蔽材を開閉可能に支持する枠体と、
前記遮蔽材の上部に位置する枠体の下方から入射する外光を遮蔽する遮光フィンとを備え、
前記枠体に前記遮光フィンの軸部を係止するため軸受部が設けられ、
前記遮光フィンが前記遮光フィンの基本姿勢用の突起部を有し、
前記軸受部に前記軸部が係止され前後方向に回動可能とした遮光フィンは、平面状の遮光面を有し、前記突起部が前記軸受部に形成される下側回動規制片に当接することにより、無外圧時の前記遮光面の全体が略鉛直の垂下となるよう規制されていることを特徴とする遮蔽装置。
【請求項２】
遮蔽材として構成されるスクリーンを巻き取り又は巻き戻し可能に支持する巻取パイプと、前記巻取パイプを支持する取付フレームと、前記巻取パイプと前記取付フレームとの間から入射する外光を遮蔽する遮光フィンとを備え、前記取付フレームに前記遮光フィンの軸部を係止するための軸受部が設けられ、ブラケットを介して前記取付フレームを取付面に取り付ける際に前記ブラケットに対し所定の傾斜角度で前記遮光フィンの設けられている方向へ傾斜させた状態から略水平の状態へと取り付けられるロールスクリーンとして構成される遮蔽装置において、
前記遮光フィンが前記遮光フィンの可動域を規制する当接部を有し、
前記ブラケットに対し所定の傾斜角度で前記取付フレームを取り付ける際に、前記軸受部に前記軸部が係止され前後方向に回動可能とした前記遮光フィンが当該所定の傾斜角度に対応して前記取付面に近接する方向に傾斜するとともに、前記当接部が前記軸受部に形成される上側回動規制片に当接することにより、前記取付面との最大近接時の距離として所定距離以上を維持するよう構成されていることを特徴とする遮蔽装置。
【請求項３】
前記遮光フィンが前記遮光フィンの基本姿勢用の突起部を有し、
前記軸受部は、前記突起部と当接可能な下側回動規制片を有し、
前記遮光フィンは、平面状の遮光面を有し、前記突起部が前記下側回動規制片に当接することにより、無外圧時の前記遮光面の全体が略鉛直の垂下となるよう規制されていることを特徴とする、請求項２に記載の遮蔽装置。
【請求項４】
前記所定の傾斜角度は鉛直方向から０度以上３０度以内とし、前記遮光フィンが該所定の傾斜角度に対応して、前記取付面との最大近接時の距離として所定距離以上を維持するよう構成されていることを特徴とする、請求項２又は３に記載の遮蔽装置。
【請求項５】
前記遮光フィンは、所定の生地の上端を掴持するための掴持手段を備えることを特徴とする、請求項１から４のいずれか一項に記載の遮蔽装置。
【請求項６】
前記遮光フィンは、前記掴持手段により掴持した際の当該所定の生地の下端のバタツキを抑制且つ圧接しない凹部を備えることを特徴とする、請求項５に記載の遮蔽装置。
【請求項７】
前記掴持手段は、正面又は側方からの挿し込みにより当該所定の生地を保持可能に構成されていることを特徴とする、請求項５又は６に記載の遮蔽装置。
【請求項８】
前記掴持手段は、当該所定の生地を狭持するための爪部を有することを特徴とする、請求項５から７のいずれか一項に記載の遮蔽装置。
【請求項９】
前記遮光フィンの可動域が前記遮蔽材又は該遮蔽材の下端に設けられる錘部材と当接しない範囲となるよう規制されていることを特徴とする、請求項１から８のいずれか一項に記載の遮蔽装置。
【請求項１０】
前記遮光フィンは、前記遮蔽材の左右方向の最大開閉径における該遮蔽材又は該遮蔽材の下端に設けられる錘部材に対し所定の遊間を持つよう全体として略Ｌ字断面形状を有することを特徴とする、請求項１から８のいずれか一項に記載の遮蔽装置。
【請求項１１】
前記遮光フィンの下端は、前記遮蔽材から遠ざかる方向に反り返る形状を有することを特徴とする、請求項１から１０のいずれか一項に記載の遮蔽装置。
【発明の詳細な説明】
【技術分野】
【０００１】
本発明は、遮蔽材の開閉を可能とする遮蔽装置に関する。
【背景技術】
【０００２】
従来、遮蔽材の開閉を可能とする遮蔽装置として、ロールスクリーンや横型ブラインド、たくし上げカーテン、プリーツスクリーン等がある。
【０００３】
例えば、ロールスクリーンは、枠体により巻取軸を支持し、スクリーンの上縁部を巻取軸に取着して垂下させ、遮蔽材（スクリーン）の下縁部に錘部材を設けておくことで、巻取軸によってスクリーンの巻取り又は巻戻しを行うことにより室内への採光量を調節可能に構成される。
【０００４】
そこで、スクリーンを巻き取る巻取軸と、この巻取軸を支持する枠体の下面との間の隙間を防止するために、枠体の下面に基端縁を回動可能に支持して巻取軸の周面上に垂下させる隙間防止部材を設ける技法が開示されている（例えば、特許文献１参照）。
【先行技術文献】
【特許文献】
【０００５】
【特許文献１】実公平４−４８３１６号公報
【発明の概要】
【発明が解決しようとする課題】
【０００６】
前述した特許文献１に開示される技法では、当該隙間防止部材により巻取軸と枠体（例えば、ロールスクリーンの取付フレーム）の下面との間の隙間を塞ぐことができるため、スクリーンを下降させて遮蔽状態としているときの遮光性を高めることができる点で有効である。
【０００７】
しかしながら、特許文献１に開示される技法では、枠体の下面に取着された当該隙間防止部材は、錘部材（ウェイトバー）の衝突で破損するおそれのある構造をしており、改善の余地がある。また、スクリーンを比較的硬質な材料を用いて構成すると、このスクリーンが当該隙間防止部材に接触した際に、その接触音が操作者に不快感を生じさせることもあり、改善の余地がある。
【０００８】
更に、特許文献１に開示される技法では、当該遮光機能を有する隙間防止部材（以下、「遮光フィン」と称する）の基端縁を遮蔽装置の枠体（例えば、ロールスクリーンの取付フレームや支持部材等）の下面に取着する必要があるため、当該遮光フィンを遮蔽装置の枠体へ容易に取り付けることができず、組付性の観点で改善の余地がある。
【０００９】
また、遮光フィンを遮蔽装置の枠体に取り付けた際の意匠性を損なうことが無い態様で、或いは取付面にブラケットを介して施工する際に、品質を維持する形態とするには更なる工夫が必要となる。
【００１０】
また、仮に貼着等で遮光フィンに所定の生地を取着しようとすると、撓みが生じ意匠性を損なう点や、その取着を如何にして高品質で容易にするかという問題が生じる。
【００１１】
本発明の目的は、上述の問題に鑑みて、意匠性や取り付け品質を向上させた遮光フィンを有する遮蔽装置を提供することにある。
【課題を解決するための手段】
【００１２】
本発明による第１態様の遮蔽装置は、遮蔽材の開閉を可能とする遮蔽装置であって、前記遮蔽材を開閉可能に支持する枠体と、前記遮蔽材の上部に位置する枠体の下方から入射する外光を遮蔽する遮光フィンとを備え、前記枠体に前記遮光フィンの軸部を係止するための軸受部が設けられ、前記遮光フィンが前記遮光フィンの基本姿勢用の突起部を有し、前記軸受部に前記軸部が係止され前後方向に回動可能とした遮光フィンは、平面状の遮光面を有し、前記突起部が前記軸受部に形成される下側回動規制片に当接することにより、無外圧時の前記遮光面の全体が略鉛直の垂下となるよう規制されていることを特徴とする。
【００１３】
更に、本発明による第２態様の遮蔽装置は、遮蔽材として構成されるスクリーンを巻き取り又は巻き戻し可能に支持する巻取パイプと、前記巻取パイプを支持する取付フレームと、前記巻取パイプと前記取付フレームとの間から入射する外光を遮蔽する遮光フィンとを備え、前記取付フレームに前記遮光フィンの軸部を係止するための軸受部が設けられ、ブラケットを介して前記取付フレームを取付面に取り付ける際に前記ブラケットに対し所定の傾斜角度で前記遮光フィンの設けられている方向へ傾斜させた状態から略水平の状態へと取り付けられるロールスクリーンとして構成される遮蔽装置において、前記遮光フィンが前記遮光フィンの可動域を規制する当接部を有し、前記ブラケットに対し所定の傾斜角度で前記取付フレームを取り付ける際に、前記軸受部に前記軸部が係止され前後方向に回動可能とした前記遮光フィンが当該所定の傾斜角度に対応して前記取付面に近接する方向に傾斜するとともに、前記当接部が前記軸受部に形成される上側回動規制片に当接することにより、前記取付面との最大近接時の距離として所定距離以上を維持するよう構成されていることを特徴とする。
【００１４】
また、本発明による第２態様の遮蔽装置において、前記遮光フィンが前記遮光フィンの基本姿勢用の突起部を有し、前記軸受部は、前記突起部と当接可能な下側回動規制片を有し、前記遮光フィンは、平面状の遮光面を有し、前記突起部が前記下側回動規制片に当接することにより、無外圧時の前記遮光面の全体が略鉛直の垂下となるよう規制されていることを特徴とする。
【００２１】
また、本発明による第２態様の遮蔽装置において、前記所定の傾斜角度は鉛直方向から０度以上３０度以内とし、前記遮光フィンが該所定の傾斜角度に対応して、前記取付面との最大近接時の距離として所定距離以上を維持するよう構成されていることを特徴とする。
【００２３】
また、本発明による第１及び第２態様の遮蔽装置において、前記遮光フィンは、所定の生地の上端を掴持するための掴持手段を備えることを特徴とする。
【００２４】
また、本発明による第１及び第２態様の遮蔽装置において、前記遮光フィンは、前記掴持手段により掴持した際の当該所定の生地の下端のバタツキを抑制且つ圧接しない凹部を備えることを特徴とする。
【００２５】
また、本発明による第１及び第２態様の遮蔽装置において、前記掴持手段は、正面又は側方からの挿し込みにより当該所定の生地を保持可能に構成されていることを特徴とする。
【００２６】
また、本発明による第１及び第２態様の遮蔽装置において、前記掴持手段は、当該所定の生地を狭持するための爪部を有することを特徴とする。
【００２７】
また、本発明による第１及び第２態様の遮蔽装置において、前記遮光フィンの可動域が前記遮蔽材又は該遮蔽材の下端に設けられる錘部材と当接しない範囲となるよう規制されていることを特徴とする。
【００２８】
また、本発明による第１及び第２態様の遮蔽装置において、前記遮光フィンは、前記遮蔽材の左右方向の最大開閉径における該遮蔽材又は該遮蔽材の下端に設けられる錘部材に対し所定の遊間を持つよう全体として略Ｌ字断面形状を有することを特徴とする。
【００２９】
また、本発明による第１及び第２態様の遮蔽装置において、前記遮光フィンの下端は、前記遮蔽材から遠ざかる方向に反り返る形状を有することを特徴とする。
【発明の効果】
【００３０】
本発明によれば、意匠性や取り付け品質を向上させた遮光フィンを有する遮蔽装置を構成することができる。
【図面の簡単な説明】
【００３１】
【図１】本発明による一実施形態の遮蔽装置としてのロールスクリーンの概略構成を示す正面図である。
【図２】本発明による一実施形態の遮蔽装置としてのロールスクリーンの概略構成を示す側面透視図である。
【図３】本発明による一実施形態の遮蔽装置としてのロールスクリーンにおける一実施例の遮光フィンの構成を示す側面図である。
【図４】本発明による一実施形態の遮蔽装置としてのロールスクリーンにおける一実施例の遮光フィン周辺の概略構成を示す分解斜視図である。
【図５】（ａ）,（ｂ）は、それぞれ本発明による一実施形態の遮蔽装置としてのロールスクリーンにおける一実施例の遮光フィンの動作を説明する側面図である。
【図６】（ａ），（ｂ），（ｃ）は、それぞれ本発明による一実施形態の遮蔽装置としてのロールスクリーンにおける一実施例の遮光フィンの動作例を個別に説明する側面図である。
【図７】本発明による一実施形態の遮蔽装置の施工に関する一例を示す側面図である。
【図８】本発明による一実施形態の遮蔽装置の施工に関する更なる一例を示す側面図である。
【発明を実施するための形態】
【００３２】
以下、図面を参照して、本発明による一実施形態の遮蔽装置としてのロールスクリーン１を説明する。尚、本願明細書中、図１に示すロールスクリーン１の正面図に対して、図示上方及び図示下方をスクリーン４の吊り下げ方向に準じてそれぞれ上方向（又は上側）及び下方向（又は下側）と定義し、図示左方向をロールスクリーン１の左側、及び、図示右方向をロールスクリーン１の右側と定義して説明する。また、以下に説明する例では、図１に示すロールスクリーン１の正面図に対して、視認する側を前側（又は室内側）、その反対側を後側（又は室外側）とし、ロールスクリーン１の前後方向と称するときは、図１の正面図における図示面に対して垂直な方向を云う。
【００３３】
（全体構成）
まず、図１及び図２を参照して、本発明による一実施形態の遮蔽装置としてのロールスクリーン１の構成を説明する。図１は、本発明に係るロールスクリーン１の概略構成を示す正面図であり、図２は、本発明に係るロールスクリーン１の側面透視図である。
【００３４】
図１に示すロールスクリーン１では、取付フレーム２の両端に支持部材２ａ，２ｂが固定され、その支持部材２ａ，２ｂには軸部材１１が固定されており、この軸部材１１から延びる固定軸（図示せず）によって、支持部材２ａ，２ｂ間に円筒状の巻取パイプ３が回転可能に支持される。取付フレーム２は、ブラケット６により取着面に固定される。各支持部材２ａ，２ｂは、サイドカバー１０によって収容され、後述するが、その意匠性と、遮光フィン９の回動動作に関する機能性を向上させている。
【００３５】
巻取パイプ３の右端部には操作プーリー８が設けられ、この操作プーリー８に掛回される無端状の操作コード７が垂下されている。本例では、この操作コード７をボールチェーンで構成し、このボールチェーンが掛回される操作プーリー８の表面を、そのボールチェーンのボール部に適合する形状の凹凸を有するように構成している。そして、操作コード７の操作により巻取パイプ３を回転操作可能としている。また、ボールチェーンで構成した操作コード７は、コード連結部材７ａによりコード端部が連結されて無端状となっている。尚、操作コード７を紐状とし、この操作コード７が掛回される操作プーリー８の表面を高摩擦性の表面形状としてもよい。
【００３６】
巻取パイプ３は、スクリーン４の一端を取着してスクリーン４を巻き取り、又は巻き戻し可能に吊下支持している。スクリーン４の他端は、錘部材として機能するウェイトバー５に取着されている。従って、スクリーン４はウェイトバー５の重量に基づいて張設される。尚、本実施形態の例では、スクリーン４は巻取パイプ３の室外側から垂下されている（図２参照）。
【００３７】
そして、操作コード７を操作して巻取パイプ３をスクリーン巻取り方向へ回転させるとウェイトバー５が上昇し、巻取パイプ３をスクリーン巻戻し方向へ回転させるとウェイトバー５が下降する。尚、ボールチェーンで構成した操作コード７上には移動制限部材１２を取着することができ、この移動制限部材１２により操作プーリー８等に当接させてその回転を停止させることができ、ウェイトバー５の上限位置が定める形態とすることもできる。
【００３８】
また、巻取パイプ３内において、その左端側にはスクリーン４の巻上時の操作力を軽減するスプリングモーター、右端側にはスクリーン４の自重降下を防止するストッパー置等が収容されている（図示せず）。
【００３９】
ここで、本発明に係るロールスクリーン１では、所定の生地１３を容易に取着可能とした構造を有する遮光フィン９が取付フレーム２の前側（正面側）に取着され、巻取パイプ３と取付フレーム２との間で生じる隙間からの光漏れを効果的に遮蔽するようになっている。図２に示すように、詳細は後述するが、取付フレーム２の正面側に設けられている軸受部２０に遮光フィン９の軸部９１が係合しており、これにより遮光フィン９は、取付フレーム２の前側（正面側）で所定の範囲内で回動可能に支持される。以下、一実施例の遮光フィン９について詳細に説明する。
【００４０】
（遮光フィンの構成）
図３には、本実施形態のロールスクリーン１における一実施例の遮光フィン９の構成を示している。また、図４は、本実施形態のロールスクリーン１における一実施例の遮光フィン９周辺の概略構成を示す分解斜視図である。
【００４１】
図３及び図４を共に参照するに、遮光フィン９は、全体として略Ｌ字状の断面形状を有しており、取付フレーム２の前側（正面側）で回動可能に係止される。遮光フィン９は遮光性の高い合成樹脂やアルミニウム等により形成するのが好適であるが、本例のように生地１３を取着する場合には透明又は半透明の合成樹脂とすることもできる。
【００４２】
そして、遮光フィン９の左右方向幅は、取付フレーム２の左右方向幅よりもわずかに短い構成となっており、例えば遮光フィン９が合成樹脂で形成されているときに熱膨張等で左右方向幅が変化しても、スムーズに回動可能に係止されるようになっている。
【００４３】
取付フレーム２の正面下方には、その長手方向に延在する略Ｃ字断面形状の軸受部２０が形成されている。この軸受部２０に遮光フィン９の軸部９１が係合しており、これにより遮光フィン９は、取付フレーム２の背面側で回動可能に支持される。取付フレーム２の長手方向の両端部には支持部材２ａ，２ｂが取着されている。
【００４４】
尚、支持部材２ａ，２ｂは、同一形状で構成され、図４に示すように、取付フレーム２の軸受部２０の略Ｃ字断面形状とほぼ合致する大きさの切欠き２３が設けられている。この切欠き２３は、支持部材２ａ，２ｂを取付フレーム２へ固定した後で、遮光フィン９の軸部９１を左右方向からスライドさせて軸受部２０に挿入して支持可能にするために設けられている。そして、遮光フィン９をスライドさせて取り外し可能とし、このスライド以外は取り外し不可として遮光フィン９に外力が加わっても取付フレーム２から外れないようになっている。
【００４５】
また、支持部材２ａ，２ｂには、取付ネジを用いて取付フレーム２を固定するためのネジ孔２１や、巻取パイプ３を回転可能に支持する固定軸（図示せず）を持つ軸部材１１（図１参照）を固定するためのネジ孔２２が、複数個所に設けられている。即ち、巻取パイプ３を支持部材２ａ，２ｂによって支持した状態で、支持部材２ａ，２ｂを取付フレーム２へ固定した後でも、遮光フィン９の軸部９１を左右方向からスライドさせて軸受部２０に挿入して支持可能となっている。このため、遮光フィン９の取り付けが容易になる。
【００４６】
また、支持部材２ａ，２ｂの各ネジ孔２１，２２の取付ネジを外部から視認できないようにしてその意匠性を向上させる観点からサイドカバー１０を取着しているが、このサイドカバー１０には、遮光フィン９の回動動作に関する機能性を向上させる作用もある。
【００４７】
即ち、サイドカバー１０には、遮光フィン９のスムーズな回動を可能とするべく、遮光フィン９の回動範囲で遮光フィン９の左右方向の両端位置を規制するよう高さを持たせた壁部１０ａが形成されている。この壁部１０ａの高さは、支持部材２ａ，２ｂの厚みを収容するのに十分な高さとなっている。そして、サイドカバー１０は合成樹脂で形成され、金属材料で成形された支持部材２ａ，２ｂの外形に倣って狭圧して取着できるようになっており、壁部１０ａには支持部材２ａ，２ｂを掴持可能な内方に突出する爪部１０ｂが形成されている。これにより、遮光フィン９の回動動作に関して、爪部１０ｂや切欠き２３がその回動動作を阻害しないよう壁部１０ａに高さを持たせている。
【００４８】
つまり、遮光フィン９の左右端部が、支持部材２ａ，２ｂへ当接するより先にサイドカバー１０の壁部１０ａに当接して、遮光フィン９を回動可能にその係止位置を規制するよう構成しており、即ち遮光フィン９の左右方向の両端部を規制することで、その意匠性を確保し、光漏れ効果を高めつつ回動弊害を防止できるようにしている。尚、本例では、遮光フィン９の左右方向幅を取付フレーム２の左右方向幅よりもわずかに短い構成とし、サイドカバー１０の壁部１０ａで遮光フィン９を回動可能に規制するよう構成する例を示しているが、遮光フィン９の形状により支持部材２ａ，２ｂやサイドカバー１０を避けるようにしてもよい。
【００４９】
図３に示すように、取付フレーム２の正面下方には、その長手方向に延在する略Ｃ字断面形状の軸受部２０が形成されている。より具体的には、軸受部２０は、取付フレーム２の底部から上方に延びる回動規制片２０ａの先端に折曲軸２０ｆを形成し、遮光フィン９の軸部９１を支持可能にしている。回動規制片２０ａは、遮光フィン９の下方への回動を規制する機能を有する。また、取付フレーム２の背面における軸受部２０の上方には、遮光フィン９の上方への回動を規制する回動規制片２０ｂが形成されている。図示する例では、回動規制片２０ａは取付フレーム２の本体正面から前方に突出する略Ｃ字状で形成され、回動規制片２０ｂは後方に突出する略板状で形成されている。そして、遮光フィン９の軸部９１が軸受部２０に係止されている状態では、遮光フィン９の上下方向への回動が規制され、遮光フィン９をどのように回動させても背面方向へ軸受部２０から外れないようになっている。
【００５０】
遮光フィン９は、その概略構成として、先端に略Ｃ字状の軸部９１を有し取付フレーム２の前側面から前方へ長さａで屈曲して突出する支持板部９３と、この支持板部９３から下方へ長さｂで延びる遮蔽板部９４とにより、全体として略Ｌ字状の断面形状を有し、スクリーン４との干渉による衝突力や接触音を回避又は緩和するよう複曲面形状の部材（単一部材でも復号部材でもよい）で形成されている。
【００５１】
より具体的には、支持板部９３は概ね略Ｌ字状に屈曲した形状を有し、その先端に略Ｃ字状の軸部９１が形成されている。軸部９１は軸受部２０における折曲軸２０ｆによって回動可能に係止される部位である。軸部９１の先端は鋭角に屈折した略鉤形状で形成され、軸受部２０に対して空間的余裕を持たせた状態で係合させることで、遮光フィン９が軸受部２０から外れにくくするとともに、遮光フィン９の回動自由度を高めている。
【００５２】
一方、このように回動自由度を高めた態様で遮光フィン９の軸部９１を軸受部２０に係止させると、遮光フィン９と回動規制片２０ｂの回動干渉により不快な干渉音（接触音）を生じさせることから、軸部９１には、厚みを変化させ回動範囲で肉厚を持たせた曲部９２を形成している。
【００５３】
また、支持板部９３の先端に設けられる軸部９１の付け根近傍には、当接部９７が形成されている。当接部９７は、詳細は後述するが回動規制片２０ｂと当接することで、遮光フィン９の上方への回動を規制する部位である。
【００５４】
このような軸部９１の形状とすることで、遮光フィン９が軸受部２０から外れにくくするとともに、ガタツキを抑制してその干渉音を軽減させつつ遮光フィン９の回動を許容するものとなっている。これにより、当接部９７と回動規制片２０ｂとの回動干渉に起因する不快な干渉音（接触音）も無視できるほど軽減させることができる。
【００５５】
また、支持板部９３の先端に設けられている軸部９１の下方には、突起部９８が形成されており、突起部９８は軸部９１と並んで支持板部９３から突出している。突起部９８は、詳細は後述するが、取付フレーム２における軸受部２０の回動規制片２０ａと当接する位置で遮光フィン９の下方への回動を規制する部位である。特に、突起部９８の先端は図示するように凹凸段差を持つ形状で構成され、回動規制片２０ａとの当接時の接触音や衝突力を緩和するよう作用する機能を持たせている。尚、本例の突起部９８は支持板部９３の左右方向へ延在して突出するよう形成されているが、支持板部９３の左右方向へ部分的に突出する形態でもよい。
【００５６】
そして、この支持板部９３から下方へ延びる遮蔽板部９４の下端には、曲面形状の干渉緩和部９５が形成されている。干渉緩和部９５は、スクリーン４との接触が有るときでも、その接触音や衝突力を緩和するようスクリーン４から遠ざかる方向に反り返る形状を有する。
【００５７】
また、遮蔽板部９４の前面上端及び下端には、それぞれ略鉤断面形状で突出する突起片９６ａ，９６ｂが設けられ、生地１３の上端及び下端を係合させる凹部を形成している。特に、遮蔽板部９４の前面上端には、突起片９６ａの内側に爪部９９が形成されており、突起片９６ａ及び爪部９９は生地押さえとして機能する掴持手段として構成される。一方、遮蔽板部９４の前面下端における突起片９６ｂは、生地１３のバタツキを抑えるための部位であり、バタツキを抑制且つ圧接しない凹部が形成される。
【００５８】
（遮光フィンの下側及び上側回動規制構造）
図５（ａ），（ｂ）は、本実施形態のロールスクリーン１における一実施例の遮光フィン９の動作を説明する側面図であり、特に、図５（ａ）には遮光フィン９の下側回動規制に関して、図５（ｂ）には遮光フィン９の上側回動規制に関して図示している。
【００５９】
図５（ａ）に示すように、支持板部９３の先端に設けられている軸部９１の下方には、突起部９８が形成されており、突起部９８は軸部９１と並んで支持板部９３から突出している。遮光フィン９は、軸部９１により軸受部２０における折曲軸２０ｆによって回動可能に係止される。遮光フィン９に設けられる突起部９８は、取付フレーム２における軸受部２０の回動規制片２０ａと当接する位置で遮光フィン９の下方への回動を規制する機能を有する。このとき、遮光フィン９は、その基本姿勢として、遮光フィン９の遮蔽板部９４の長手方向が取付フレーム２の前後方向に対しほぼ垂直（鉛直方向への垂下）になるように規制している。このように、遮光フィン９をロールスクリーン１の取付フレーム２に取り付けたときの基本姿勢として遮光フィン９の遮蔽板部９４の長手方向が取付フレーム２の前後方向に対しほぼ垂直（鉛直方向への垂下）となるため、その意匠性を向上させている。
【００６０】
また、図５（ｂ）に示すように、遮光フィン９に設けられる軸部９１の付け根近傍には、当接部９７が形成されている。当接部９７は、当該基本姿勢から遮光フィン９が回動した際に回動規制片２０ｂと当接することで遮光フィン９の上方への回動を規制する部位である。これにより、遮光フィン９がブラケット６やその取付面に対し非当接となるようになっている。このように、遮光フィン９をロールスクリーン１の取付フレーム２に取り付けた場合の操作性を損なうことなく、その品質を維持することができる。
【００６１】
（遮光フィンの動作）
図６（ａ），（ｂ），（ｃ）は、それぞれ本実施形態のロールスクリーン１における一実施例の遮光フィン９の動作例を個別に説明する側面図である。
【００６２】
図６（ａ）に示すように、本実施例の遮光フィン９は、取付フレーム２の前側面から前方へ長さａで屈曲して突出する支持板部９３と、支持板部９３から下方へ長さｂで延びる遮蔽板部９４とにより、全体として略Ｌ字状の断面形状を有している。
【００６３】
遮蔽板部９４の長さｂは、取付フレーム２と巻取パイプ３との間の隙間から生じる光漏れを防ぐ長さで形成されている。支持板部９３の長さａは、操作コード７の操作に悪影響を与えない範囲に設定されている。仮に、本実施例の遮光フィン９に操作コード７が接触するように操作する場合でも、遮光フィン９は回動するため操作負担を生じさせないようになっている。
【００６４】
また、図６（ｂ）に示すように、本実施例の遮光フィン９を、スクリーン４の最大巻取径Ｓが比較的小さいロールスクリーン１に適用する場合では、スクリーン４と遮光フィン９とが接触することが無く、その基本姿勢として、遮光フィン９の遮蔽板部９４の長手方向が取付フレーム２の前後方向に対しほぼ垂直な状態（鉛直方向への垂下となる状態）を維持しつつ遮光機能を保持できる。
【００６５】
一方、図６（ｃ）に示すように、本実施例の遮光フィン９を、スクリーン４の最大巻取径Ｓが比較的大きいロールスクリーン１に適用する場合では、スクリーン４と遮光フィン９とが接触する場合でも、スクリーン４の巻太りに倣って遮光フィン９を回動させることができ、その遮光機能を保持できる。
【００６６】
また、図７に示すように、ブラケット６を介して所定の傾斜角度αを要して取付フレーム２を取付面に施工する際に、軸受部２０に係止される遮光フィン９が当該所定の傾斜角度αに対応して傾斜するとともに、取付面との最大近接時の距離として所定距離ｄ以上を維持するよう構成されている。所定の傾斜角度は鉛直方向から０度以上３０度以内が想定される。これにより、遮光フィン９を利用するロールスクリーン１においても、その品質を損なうことなく施工することができる。
【００６７】
尚、図７に示す例では、遮光フィン９が最大径で巻き取られたスクリーン４と当接している状態を示しているが、これは種々のロールスクリーン１にて取りうる最大外径時を想定して図示しており、この場合でも遮光フィン９が当該所定の傾斜角度αに対応して傾斜するとともに、取付面との最大近接時の距離として所定距離ｄ以上を維持することを示している。
【００６８】
例えば、遮光フィン９が最大径で巻き取られたスクリーン４と当接しない場合ではより施行性に対してマージンが大きくなるとともに、遮光フィン９の傾斜は、図５（ａ）を参照して説明したように、遮光フィン９に設けられる突起部９８が取付フレーム２における軸受部２０の回動規制片２０ａと当接する位置で遮光フィン９の下方への回動が規制されるため、遮光フィン９がスクリーン４等へ衝突することもなく、その品質を維持できる。
【００６９】
また、遮光フィン９が最大径で巻き取られたスクリーン４のロールスクリーン１にてブラケット６を介して所定の傾斜角度αを要して取付フレーム２を取付面に施工する際に、図８に示すように、遮光フィン９がその状態から規制される回動角度βでバタついても取付面とは衝突することがないよう、取付面との最大近接時の距離として所定距離ｄ’以上を維持するようになっている。つまり、遮光フィン９には図５（ｂ）を参照して説明したように遮光フィン９には当接部９７が形成され、取付フレーム２における回動規制片２０ｂと当接することでその遮光フィン９の上方への回動が規制される。そして、この遮光フィン９の当接部９７は、当該所定の傾斜角度αを要する施工時をも考量して、その遮光フィン９の可動域を規制するように構成している。
【００７０】
以上、特定の実施形態の例を挙げて本発明を説明したが、本発明は前述の実施形態の例に限定されるものではなく、その技術思想を逸脱しない範囲で種々変形可能である。特に、遮光フィン９の軸部９１の形状・構造や、係止する方法はその一例を説明したにすぎず、例えば遮光フィン９の軸部９１を丸軸等で形成してもよいし、遮光フィン９の軸部９１を支持する枠体として取付フレーム２ではなく支持部材２ａ，２ｂとすることもできる。また、取付フレーム２に対し遮光フィン９の軸部９１で係止する位置は、取付フレーム２の前面に限らず、取付フレーム２の後面や底面でもよい。また、遮光フィン９を利用可能な形態として、上述したように遮蔽材としてのスクリーンを開閉可能とする巻取パイプを枠体により支持するロールスクリーン以外にも、遮蔽材としてのスラットを枠体（ヘッドボックス等）によりラダーコードを介して支持する横型ブラインド、遮蔽材としてのカーテン材を枠体（ヘッドボックス等）により支持するたくし上げカーテン、遮蔽材としてのスクリーンを枠体（ヘッドボックス等）により支持するプリーツスクリーン等がある。
【産業上の利用可能性】
【００７１】
本発明によれば、意匠性や操作性を向上させ、所定の生地を容易に取着可能とした遮光フィンを有する遮蔽装置を構成することができるので、遮光フィンを利用可能な遮蔽装置の用途に有用である。
【符号の説明】
【００７２】
１  ロールスクリーン
２  取付フレーム
２ａ，２ｂ  支持部材
３  巻取パイプ
４  スクリーン
５  ウェイトバー
９  遮光フィン
１０  サイドカバー
２０  軸受部
２０ａ，２０ｂ  回動規制片
９１  軸部
９２  曲部
９３  支持板部
９４  遮蔽板部
９５  干渉緩和部
【図１】
0006718719.tif 000002
【図２】
0006718719.tif 000003
【図３】
0006718719.tif 000004
【図４】
0006718719.tif 000005
【図５】
0006718719.tif 000006
【図６】
0006718719.tif 000007
【図７】
0006718719.tif 000008
【図８】
0006718719.tif 000009